(57)【要約】【課題】被災シミュレーションシステム、振動入力装置及び仮想被害出力装置を提供する。【解決手段】  仮想建物に対する仮想地震による被害に係る情報を出力する被災シミュレーションシステムであって、画像を表示する表示部１２、及び仮想地震による仮想建物に対する振動を示す入力を受け付ける入力部１１を有する振動入力装置１と、被害に係る情報を出力する出力部２２を有する仮想被害出力装置２とを備え、表示部１２に仮想建物を示す画像を表示する仮想建物表示手段と、入力部１１が受け付けた入力に基づいて、振動の強度を判定する強度判定手段と、強度判定手段が判定した強度を示す振動強度を、予め設定されている強度基準と比較する比較手段と、比較手段による比較結果に基づいた被害に係る情報を、出力部２２から出力する被害出力手段と、を備える。【選択図】図２
2016122339.tif 000002
【特許請求の範囲】
【請求項１】
仮想建物に対する仮想地震による被害に係る情報を出力する被災シミュレーションシステムであって、
画像を表示する表示部、及び仮想地震による仮想建物に対する振動を示す入力を受け付ける入力部を有する振動入力装置と、
被害に係る情報を出力する出力部を有する仮想被害出力装置と
を備え、
前記表示部に仮想建物を示す画像を表示する仮想建物表示手段と、
前記入力部が受け付けた入力に基づいて、振動の強度を判定する強度判定手段と、
前記強度判定手段が判定した強度を示す振動強度を、予め設定されている強度基準と比較する比較手段と、
前記比較手段による比較結果に基づいた被害に係る情報を、前記出力部から出力する被害出力手段と
を備えることを特徴とする被災シミュレーションシステム。
【請求項２】
請求項１に記載の被災シミュレーションシステムであって、
前記入力部は、外部の接触体による接触を検知して、検知した接触を入力として受け付けるための被接触面を有し、
前記強度判定手段は、被接触面に対する接触の状況に基づいて振動の強度を判定する
ことを特徴とする被災シミュレーションシステム。
【請求項３】
請求項２に記載の被災シミュレーションシステムであって、
前記入力部は、
前記表示部が画像を表示する表示面に対応する接触位置を検知するタッチパネルである
ことを特徴とする被災シミュレーションシステム。
【請求項４】
仮想建物に対する仮想地震による被害に係る情報を出力する被災シミュレーションシステムであって、
画像を表示する表示部と、
仮想地震による仮想建物に対する振動を示す入力を受け付ける入力部と、
被害に係る情報を出力する出力部と
を備え、
前記表示部に仮想建物を示す画像を表示する仮想建物表示手段と、
前記入力部が受け付けた入力に基づいて、振動の強度を判定する強度判定手段と、
前記強度判定手段が判定した強度を示す振動強度を、予め設定されている強度基準と比較する比較手段と、
前記比較手段による比較結果に基づいた被害に係る情報を、前記出力部から出力する被害出力手段と
を備えることを特徴とする被災シミュレーションシステム。
【請求項５】
仮想建物に対する仮想地震に係る入力を受け付け、受け付けた入力に基づく情報を、仮想地震による被害に係る情報を出力する仮想被害出力装置へ送信する振動入力装置であって、
画像を表示する表示面を有する表示部と、
前記表示部の表示面に対する、外部の接触体による接触を検知して、検知した接触を入力として受け付ける入力部と
を備え、
前記表示部に仮想建物を示す画像を表示する仮想建物表示手段と、
前記入力部の被接触面に対する接触を、前記仮想建物表示手段にて表示された仮想建物に対する仮想地震による震動の入力として受け付ける振動入力手段と、
前記入力部が受け付けた入力に基づいて、振動の強度を判定する強度判定手段と、
前記強度判定手段が判定した強度を示す振動強度に基づく情報を、前記仮想被害出力装置へ送信する情報送信手段と
を備える
ことを特徴とする振動入力装置。
【請求項６】
仮想建物に対する仮想地震による被害に係る情報を出力する仮想被害出力装置であって、
仮想建物を示す画像を表示する手段と、
仮想地震による仮想建物に対する振動を示す入力を受け付ける手段と、
受け付けた入力に基づいて、振動の強度を判定する手段と、
判定した強度を示す振動強度を、予め設定されている強度基準と比較する手段と、
比較結果に基づいた被害に係る情報を出力する手段と
を備えることを特徴とする仮想被害出力装置。
【発明の詳細な説明】
【技術分野】
【０００１】
本発明は、仮想建物に対する仮想地震による被害に係る情報を出力する被災シミュレーションシステム、そのような被災シミュレーションシステムに使用可能な振動入力装置、及び仮想建物に対する仮想地震による被害に係る情報を出力する仮想被害出力装置に関する。
【背景技術】
【０００２】
建物等の構造物に加速度センサ等の測定機器を配設し、地震、常時微動等の揺れに対する応答波形を解析して構造性能を診断する構造ヘルスモニタリングと呼ばれる技術が提唱されている。例えば、構造ヘルスモニタリングを用いた構造ヘルスモニタリングシステムの応用例としては、柱、梁、外壁等の部位に対する加速度、変形状況等の測定値に基づいて、構造物全体の揺れ、変形の大きさ、損傷、劣化等の状況を推定するシステムを挙げることができる。そして、このような構造ヘルスモニタリングシステムを普及させるためには、構造物の居住者、使用者、管理者等の関係者となり得る者が、構造ヘルスモニタリングシステムの特徴を十分に理解することが重要である。
【０００３】
構造ヘルスモニタリングシステム等の新たなシステムについて、一般的な人に対し理解を深めさせる方法としては、新たなシステムを疑似体験させる方法が挙げられる。例えば、特許文献１には、建築物に対する地震の影響を疑似体験するための振動評価方法が開示されている。
【先行技術文献】
【特許文献】
【０００４】
【特許文献１】特開２００１−６０２１４号公報
【発明の概要】
【発明が解決しようとする課題】
【０００５】
しかしながら、特許文献１に開示されている振動評価方法は、地震を模した振動に対し、建築物の揺れを疑似的に表示したものである。そのため、地震による影響を疑似体験することはできても、構造ヘルスモニタリングシステムを導入することにより、地震が発生した場合に、どのような情報を、どのように取得することができるかという様な事象を疑似体験することはできない。
【０００６】
本発明は斯かる事情に鑑みてなされたものであり、建物に関する新たなシステムを導入した場合における状況を疑似体験することが可能な被災シミュレーションシステムの提供を主たる目的とする。
【０００７】
また、本発明は、本発明に係る被災シミュレーションシステムに使用可能な振動入力装置の提供を他の目的とする。
【０００８】
さらに、本発明は、本発明に係る被災シミュレーションシステムとして機能する仮想被害出力装置の提供を更に他の目的とする。
【課題を解決するための手段】
【０００９】
上記課題を解決するために本願記載の被災シミュレーションシステムは、仮想建物に対する仮想地震による被害に係る情報を出力する被災シミュレーションシステムであって、画像を表示する表示部、及び仮想地震による仮想建物に対する振動を示す入力を受け付ける入力部を有する振動入力装置と、被害に係る情報を出力する出力部を有する仮想被害出力装置とを備え、前記表示部に仮想建物を示す画像を表示する仮想建物表示手段と、前記入力部が受け付けた入力に基づいて、振動の強度を判定する強度判定手段と、前記強度判定手段が判定した強度を示す振動強度を、予め設定されている強度基準と比較する比較手段と、前記比較手段による比較結果に基づいた被害に係る情報を、前記出力部から出力する被害出力手段とを備えることを特徴とする。
【００１０】
また、本願記載の被災シミュレーションシステムは、前記入力部は、外部の接触体による接触を検知して、検知した接触を入力として受け付けるための被接触面を有し、前記強度判定手段は、被接触面に対する接触の状況に基づいて振動の強度を判定することを特徴とする。
【００１１】
また、本願記載の被災シミュレーションシステムは、前記入力部は、前記表示部が画像を表示する表示面に対応する接触位置を検知するタッチパネルであることを特徴とする。
【００１２】
また、本願記載の被災シミュレーションシステムは、仮想建物に対する仮想地震による被害に係る情報を出力する被災シミュレーションシステムであって、画像を表示する表示部と、仮想地震による仮想建物に対する振動を示す入力を受け付ける入力部と、被害に係る情報を出力する出力部とを備え、前記表示部に仮想建物を示す画像を表示する仮想建物表示手段と、前記入力部が受け付けた入力に基づいて、振動の強度を判定する強度判定手段と、前記強度判定手段が判定した強度を示す振動強度を、予め設定されている強度基準と比較する比較手段と、前記比較手段による比較結果に基づいた被害に係る情報を、前記出力部から出力する被害出力手段と、を備えることを特徴とする。
【００１３】
本願記載の振動入力装置は、仮想建物に対する仮想地震に係る入力を受け付け、受け付けた入力に基づく情報を、仮想地震による被害に係る情報を出力する仮想被害出力装置へ送信する振動入力装置であって、画像を表示する表示面を有する表示部と、前記表示部の表示面に対する、外部の接触体による接触を検知して、検知した接触を入力として受け付ける入力部とを備え、前記表示部に仮想建物を示す画像を表示する仮想建物表示手段と、前記入力部の被接触面に対する接触を、前記仮想建物表示手段にて表示された仮想建物に対する仮想地震による震動の入力として受け付ける振動入力手段と、前記入力部が受け付けた入力に基づいて、振動の強度を判定する強度判定手段と、前記強度判定手段が判定した強度を示す振動強度に基づく情報を、前記仮想被害出力装置へ送信する情報送信手段とを備えることを特徴とする。
【００１４】
本願記載の仮想被害出力装置は、仮想建物に対する仮想地震による被害に係る情報を出力する仮想被害出力装置であって、仮想建物を示す画像を表示する手段と、仮想地震による仮想建物に対する振動を示す入力を受け付ける手段と、受け付けた入力に基づいて、振動の強度を判定する手段と、判定した強度を示す振動強度を、予め設定されている強度基準と比較する手段と、比較結果に基づいた被害に係る情報を出力する手段とを備えることを特徴とする。
【００１５】
これにより、本願記載の被災シミュレーションシステム等を使用する者は、地震等の災害が発生した場合に生じる状況を疑似体験することができる。
【発明の効果】
【００１６】
本発明では、表示された仮想建物に対して仮想地震を想定した振動を示す入力を行うことにより、仮想地震による被害に係る情報を疑似的に出力する。これにより、ユーザは、地震が発生した場合に生じる状況を疑似体験することが可能である等、優れた効果を奏する。
【図面の簡単な説明】
【００１７】
【図１】本願記載の被災シミュレーションシステムにより疑似体験することが可能な構造ヘルスモニタリングシステムの概要の一例を模式的に示す説明図である。
【図２】本願記載の被災シミュレーションシステムの概要の一例を模式的に示す説明図である。
【図３】本願記載の被災シミュレーションシステムにて用いられる振動入力装置及び仮想被害出力装置の構成例を概略的に示すブロック図である。
【図４】本願記載の被災シミュレーションシステムにて用いられる振動入力装置の仮想地震発生処理の一例を示すフローチャートである。
【図５】本願記載の被災シミュレーションシステムにて用いられる振動入力装置が備える表示部に表示される画像の一例を示す説明図である。
【図６】本願記載の被災シミュレーションシステムにて用いられる振動入力装置が備える表示部に表示される画像の一例を示す説明図である。
【図７】本願記載の被災シミュレーションシステムにて用いられる振動入力装置に表示された仮想建物に対する仮想地震を発生させる操作の一例を示す説明図である。
【図８】本願記載の被災シミュレーションシステムにて用いられる振動入力装置が備える表示部に表示される画像の一例を示す説明図である。
【図９】本願記載の被災シミュレーションシステムにて用いられる仮想被害出力装置の仮想被害出力処理の一例を示すフローチャートである。
【図１０】本願記載の被災シミュレーションシステムにて用いられる仮想被害出力装置が備える表示部に表示される画像の一例を示す説明図である。
【図１１】本願記載の被災シミュレーションシステムにて用いられる仮想被害出力装置が備える表示部に表示される画像の一例を示す説明図である。
【図１２】本願記載の被災シミュレーションシステムにて用いられる仮想被害出力装置が備える表示部に表示される画像の一例を示す説明図である。
【図１３】本願記載の被災シミュレーションシステムにて用いられる仮想被害出力装置が備える表示部に表示される画像の一例を示す説明図である。
【図１４】本願記載の被災シミュレーションシステムにて用いられる仮想被害出力装置の構成例を概略的に示すブロック図である。
【図１５】本願記載の被災シミュレーションシステムにて用いられる仮想被害出力装置の仮想地震発生及び仮想被害出力処理の一例を示すフローチャートである。
【発明を実施するための形態】
【００１８】
以下、本発明の実施形態について詳述するが、本発明を説明する前に、建物の構造性能を診断する構造ヘルスモニタリングシステムについて説明し、その後に、構造ヘルスモニタリングシステムを疑似体験可能とする本発明に係る被災シミュレーションシステムについて説明する。
【００１９】
＜構造ヘルスモニタリングシステム＞
図１は、本願記載の被災シミュレーションシステムにより疑似体験することが可能な構造ヘルスモニタリングシステムの概要の一例を模式的に示す説明図である。構造ヘルスモニタリングとは、建物等の構造物に加速度センサ等の測定機器を配設し、地震、常時微動等の揺れに対する応答波形を解析して構造性能を診断する技術であり、柱、梁、外壁等の部位に対する加速度、変形状況等の測定値に基づいて、構造物全体の揺れ、変形の大きさ、損傷、劣化等の状況を推定することができる。
【００２０】
図１に例示するように、構造ヘルスモニタリングシステムを応用して、集合住宅等の建物Ｂが地震等の災害にあった場合に、被災した建物Ｂに対する診断結果に基づく様々な情報を、建物Ｂの居住者に提供するシステムＭＳが提唱されている。図１に例示したシステムＭＳでは、建物Ｂに対する加速度、変形状況等の測定対象を測定する測定装置ｍが、建物の柱、梁、内装等の部位に配設されている。測定装置ｍは、測定により得られた測定値等の測定情報を、専用網等の通信網ＮＷを介して、管理事業体が管理する管理サーバＡへ送信する。管理サーバＡは、様々な地域の様々な建物から様々な情報を受信し、受信した情報を記録し、また、記録された情報は、構造性の診断等の目的のため管理者により適切に利用される。
【００２１】
そして、地震等の災害が発生した場合、管理事業体は、受信した測定情報等の様々な情報から、災害状況、被害状況等の状況を診断し、建物Ｂの居住者に対して診断結果及び診断結果に基づく災害・被害情報等の様々な情報を提供する。また、管理事業体は、建物Ｂ内の各戸から、それぞれの被害状況を示す戸別被害情報を収集し、収集した戸別被害情報をも加味して、より正確で緻密な状況把握を行うと共に、より有益な災害・被害情報等の情報を居住者に提供する。建物Ｂ内の各戸には、災害・被害情報等の情報を出力する液晶ディスプレイ等の出力装置Ｄが配設されており、出力装置Ｄは、受信した災害・被害情報等の情報を画像として表示出力する。
【００２２】
このような出力装置Ｄとしては、必ずしも専用のディスプレイを用いる必要は無く、例えば、ＨＥＭＳ（Home Energy Management System ）と呼ばれる家庭内エネルギー管理システムに用いられるディスプレイと併用することが可能である。即ち、構造ヘルスモニタリングシステムと家庭内エネルギー管理システムとを融合させたスマートハウスが近年、盛んに開発されている。
【００２３】
＜被災シミュレーションシステム及び装置の構成＞
次に、本発明に係る被災シミュレーションシステム及び装置の構成について説明する。なお、以下の実施形態は、本発明を具現化した一例であって、本発明の技術範囲を限定する性格のものではない。図２は、本願記載の被災シミュレーションシステムの概要の一例を模式的に示す説明図である。被災シミュレーションシステムは、上述した新たなシステムの一部の機能を疑似体験することを目的としている。本願では、構造ヘルスモニタリングシステムとＨＥＭＳとを融合させたスマートハウスとして建築された４階建ての集合住宅の一戸において、地震が発生した場合に、ディスプレイに表示される内容及びその内容に対する対応を疑似体験する形態を例示する。例えば、集合住宅の一室を模したモデルハウスの室内にＨＥＭＳ用のディスプレイを設置し、使用者が、ディスプレイに表示される内容を閲覧し、また、様々な入力を行うことで、構造ヘルスモニタリングシステムを疑似体験する形態である。
【００２４】
本願記載の被災シミュレーションシステムは、振動入力装置１と仮想被害出力装置２とを備えている。振動入力装置１及び仮想被害出力装置２は、例えば、ＩＥＥＥ８０２．１１等の国際標準規格に基づく無線ＬＡＮ（Local Area Network）等の通信方法により、通信可能に構成されている。
【００２５】
図２に外観概略図を例示した振動入力装置１は、タブレット型コンピュータ等のコンピュータを用いて構成されており、仮想地震の入力に用いられる。振動入力装置１は、薄板状の入力部１１及び薄板状の表示部１２を積層したタッチパネル式ディスプレイを備えている。入力部１１は、指、タッチペン等の外部の接触体による接触を検知して、検知した位置を入力として受け付ける被接触面１１ａを有している。入力部１１は、音響波照合方式、超音波表面弾性波方式、静電容量方式、光方式、抵抗膜方式等の方式により、被接触面１１ａに接触した接触体の位置を検知する。表示部１２は、液晶パネル等のディスプレイを用いて構成される。
【００２６】
さらに、振動入力装置１は、使用者の操作を受け付ける電源ボタン、特定の機能に係る押しボタン等の操作部１３、音声の入力を受け付けるマイクロホン等の音声入力部１４、音声を出力するスピーカ等の音声出力部１５等を備えている。音声入力部１４は、使用者の発声を受音し、デジタル信号である音信号に変換する。音声出力部１５は、デジタル信号である音信号を音として出力する。
【００２７】
図２に外観概略図を例示した仮想被害出力装置２は、例えば、ＨＥＭＳ用のディスプレイを備えるコンピュータを用いて構成されており、構造ヘルスモニタリングシステム用の入出力装置にて表示される画像を模した画像を表示し、また、入力を受け付ける。仮想被害出力装置２は、薄板状の被接触面２１ａを有する入力部２１及び画像を表示出力する薄板状の表示部（画像出力部）２２を積層したタッチパネル式ディスプレイを備えている。さらに、仮想被害出力装置２は、操作部２３、音声出力部２４等を備えている。なお、図２に例示した仮想被害出力装置２は、タッチパネル式ディスプレイの裏面に制御本体となるコンピュータを備えている。
【００２８】
また、図３は、本願記載の被災シミュレーションシステムにて用いられる振動入力装置１及び仮想被害出力装置２の構成例を概略的に示すブロック図である。振動入力装置１は、前述した入力部１１、表示部１２、操作部１３、音声入力部１４、音声出力部１５等の他、制御部１０、記録部１６、記憶部１７、通信部１８、加速度検出部１９等を備えている。
【００２９】
制御部１０は、情報処理回路、計時回路、レジスタ回路等の各種回路を備え、装置内の各部を制御する処理を実行するＣＰＵ（Central Processing Unit ）等である。
【００３０】
記録部１６は、フラッシュメモリ（Flash Memory）等の不揮発性記録機構、及び各種ＲＡＭ（Random Access Memory）等の揮発性記録機構を用いて構成されており、様々な情報を記録している。記録部１６には、基本プログラム（ＯＳ：Operating System）、基本プログラム上で動作する応用プログラム（アプリケーションプログラム）等のプログラムが記録されている。応用プログラムとしては、振動入力装置１を実現するための振動入力装置用プログラムが記録されている。また、記録部１６には、応用プログラム等の各種プログラムを実行する上で必要な振動強度の判定に用いる強度基準等の様々なデータが記録されている。
【００３１】
記憶部１７は、揮発性記録機構を用いて構成されており、各種プログラムの実行に際して発生するデータを一時的に記憶する。なお、便宜上、記録部１６及び記憶部１７を分けて構成しているが、一の回路で構成しても良く、また相互にその機能を補完することも可能である。そして、コンピュータは、制御部１０の制御により、記録部１６に記録されている振動入力装置用プログラムを読み取り、適宜、記憶部１７に各種情報を記憶して、各種手順を実行することにより、振動入力装置１として動作する。
【００３２】
通信部１８は、アンテナ及び制御回路を用いて構成されており、無線ＬＡＮのノードとして機能し、仮想被害出力装置２との無線通信を実現する。なお、図３では、アクセスポイントとして機能する無線ＬＡＮルータ等の通信装置３を介して仮想被害出力装置２と通信する形態を例示している。
【００３３】
加速度検出部１９は、静電容量検出方式、ピエゾ方式等の各種の方式により、傾き、動き、振動、衝撃等の外力を加速度として検出する。
【００３４】
仮想被害出力装置２は、前述した入力部２１、表示部（画像出力部）２２、操作部２３、音声出力部２４等の他、制御部２０、記録部２５、記憶部２６、通信部２７等を備えている。
【００３５】
制御部２０は、装置内の各部を制御する。
【００３６】
記録部２５は、様々な情報を記録する。記録部２５には、仮想被害出力装置２を実現するための仮想被害出力装置用プログラム等の各種プログラムが記録されている。また、記録部２５には、各種プログラムを実行する上で必要な様々なデータ（例えば、振動強度の判定に用いる強度基準のデータ、後述するテンプレート等）が記録されている。
【００３７】
記憶部２６は、各種プログラムの実行に際して発生するデータを一時的に記憶する。そして、コンピュータは、制御部２０の制御により、記録部２５に記録されている仮想被害出力装置用プログラムを読み取り、適宜、記憶部２６に各種情報を記憶して、各種手順を実行することにより、仮想被害出力装置２として動作する。
【００３８】
通信部２７は、振動入力装置１と通信する。図３では、通信装置３と接続し、通信装置３を介して振動入力装置１と通信する形態を例示している。
【００３９】
＜各装置の操作方法及び処理＞
次に被災シミュレーションシステムにて用いられる各装置の操作及び処理について説明する。図４は、本願記載の被災シミュレーションシステムにて用いられる振動入力装置１の仮想地震発生処理の一例を示すフローチャートである。使用者は、振動入力装置１を操作し、振動入力装置１に記録されている振動入力装置用プログラムを実行させる。操作を受け付けた振動入力装置１の制御部１０は、振動入力装置用プログラムを起動し、表示部１２に仮想建物の画像を表示する（Ｓ１０１）。
【００４０】
図５及び図６は、本願記載の被災シミュレーションシステムにて用いられる振動入力装置１が備える表示部１２に表示される画像の一例を示す説明図である。図５は、振動入力装置用プログラムを起動した場合に、表示部１２に表示される画像を示しており、画面中央付近に振動入力装置用プログラムの名称が示され、名称の下方に「Ｓｔａｒｔ」と示された画像が表示されている。そして、「Ｓｔａｒｔ」と示された画像をタッチすることにより、図６に例示した画像が表示される。図６は、ステップＳ１０１にて表示される画像を示しており、画面中央付近に仮想建物ＶＢとして４階建てのマンションを示す画像が表示されている。さらに、図６に示す画像の下方には、仮想建物の下方に左右に延びるスライダＳＬを示す画像と、スライダＳＬ上を左右に移動して位置を指示するポインタＰを示す画像とが表示されている。また、ポインタＰの上方には、「左右にスワイプ」という使用方法を示すポップアップが表示されている。
【００４１】
図４のフローチャートに戻り、ステップＳ１０１にて仮想建物ＶＢの画像を表示した後に、制御部１０は、表示部１２に表示されたポインタＰの表示位置に対する位置への接触体（例えば、指又はタッチペン）による接触を入力部１１によって検知し（Ｓ１０２）、接触検知を契機として接触入力の受付を開始する（Ｓ１０３）。
【００４２】
図７は、本願記載の被災シミュレーションシステムにて用いられる振動入力装置１に表示された仮想建物ＶＢに対する仮想地震を発生させる操作の一例を示す説明図である。使用者は、図６に示した画像に対し、図７（ａ）に示すように、ポインタＰをスライダＳＬの左側に移動させる操作と、図７（ｂ）に示すように、ポインタＰをスライダＳＬの右側に移動させる操作とを繰り返し行うことにより、仮想地震を発生させることができる。なお、図７（ａ）及び（ｂ）に示す例では、ポインタＰの移動に伴い仮想建物ＶＢが左右に揺れる状態を模した画像を表示している。振動入力装置１は、仮想建物ＶＢが揺れる画像を表示部１２に表示することにより、使用者に対し、仮想地震が発生したことを認識させることができる。振動入力装置１は、使用者によるポインタＰを左右に移動させる操作を、ステップＳ１０３の接触入力として受け付ける。
【００４３】
図４のフローチャートに戻り、制御部１０は、接触入力を受け付けている間における接触入力の状況を記憶部１７に記憶させる（Ｓ１０４）。制御部１０は、記憶した接触入力の状況が、接触入力の受付を終了する終了条件を満足した場合、接触入力の受付を終了する（Ｓ１０５）。ステップＳ１０５において、終了条件は、例えば、接触入力の状況として、ポインタの左右の移動を所定回数、例えば１０往復行った場合、接触の開始から所定時間、例えば１０秒経過した場合等の条件が設定される。
【００４４】
そして、制御部１０は、ステップＳ１０４にて記憶部１７に記憶されている接触入力の状況を、予め記録部１６に記録して設定されている強度基準と比較し（Ｓ１０６）、比較結果に基づいて振動強度を判定する（Ｓ１０７）。ステップＳ１０７にて判定される振動強度とは、振動の程度を表す数値又は程度（レベル）であり、ここでは、振動強度として、地震による揺れの程度を示す震度を模した仮想震度を用いる例について説明する。比較の対象となる接触入力の状況とは、例えば、ステップＳ１０５の終了条件がポインタＰの移動回数であった場合、所定回数移動するのに要した時間を示す値が比較対象となる。この場合、強度基準は、複数段階に設定された時間となり、接触入力の状況を示す時間と、強度基準として設定された複数段階の時間とを比較して、振動強度が判定される。例えば、１０回移動するのに要した時間が３秒未満であれば、振動強度は仮想震度７、３秒以上５秒未満であれば、仮想震度５強、５秒以上７秒未満であれば、仮想震度５弱、７秒以上であれば仮想震度４というように分級して振動強度が判定される。また、終了判定条件の他の例として、接触の開始からの所定時間の経過であった場合、所定時間内に往復した回数を示す値が比較対象となる。この場合、強度基準は複数段階に設定された回数となり、接触入力の状況を示す往復回数と、強度基準として設定された複数段階の回数とを比較して、振動強度が判定される。例えば、所定時間内に１０回以上往復した場合、振動強度は７、７回以上１０回未満であれば、仮想震度５強、５回以上７回未満であれば、仮想震度５弱、５回未満であれば、仮想震度４というように分級して振動強度が判定される。
【００４５】
以上のように、振動入力装置１は、ステップＳ１０２〜Ｓ１０７の処理により、被接触面１２ａに対する接触体の接触状況を振動強度に換算する。なお、接触状況を振動強度に換算する方法としては、上述した所定の接触位置の移動に要した時間（移動速度）、所定の時間内おける接触位置の軌跡（往復運動の回数）だけでなく、被接触面１２ａに対する接触／離反を繰り返した回数、接触した位置、往復運動の振幅等の様々な条件を設定することが可能である。
【００４６】
さらに、制御部１０は、判定した振動強度を、予め設定されている被害基準（記録部１６に記録されている）と比較し（Ｓ１０８）、比較結果に基づいて仮想建物ＶＢの被害を判定する（Ｓ１０９）。ステップＳ１０９にて判定される仮想建物ＶＢの被害とは、仮想建物ＶＢの損傷の程度である。例えば、振動強度が４乃至５弱であれば、仮想建物ＶＢの被害は、損傷が生じていないことを示す「健全」と判断し、振動強度が７であれば、仮想建物ＶＢの被害は、ある程度の損傷が生じていることを示す「損傷（中）」となる。なお、ステップＳ１０８〜Ｓ１０９として示した仮想建物ＶＢの被害の判定は、振動強度に基づいて判定するのではなく、接触入力の状況に基づいて判定するようにしても良い。この場合、仮想震度として示される前述の振動強度と異なる指標として、振動の強度を判定する基準を設け、当該基準に基づいて判定した強度を示す振動強度（仮想震度とは異なる指標）を、予め設定されている強度基準と比較することになる。また、振動強度の判定及び仮想建物ＶＢの被害の判定のいずれにおいても、更に細かく分級した基準を設けるようにする等、適宜設計することが可能である。
【００４７】
そして、制御部１０は、ステップＳ１０７にて判定した振動強度を示す振動強度情報及びステップＳ１０９にて判定した仮想建物の被害を示す被害情報を表示部１２に表示する（Ｓ１１０）。
【００４８】
図８は、本願記載の被災シミュレーションシステムにて用いられる振動入力装置１が備える表示部１２に表示される画像の一例を示す説明図である。図８は、ステップＳ１１０にて表示される画像を示しており、仮想建物の上方に震度強度情報による「５強」との文言及び被害情報による「健全」との文言が表示部１２に表示される。また、仮想建物ＶＢの前面には、「地震が発生しました」との文言を示すウィンドウがポップアップ表示され、ウィンドウ内には、「ＯＫ」との文言が示された画像が表示される。使用者は、「ＯＫ」と示された画像をタッチすることにより、振動入力装置１は、使用者が仮想地震の発生を認識したものとして、以降の処理を実行する。
【００４９】
そして、制御部１０は、通信部１８から通信装置３を介して仮想被害出力装置２へ振動強度情報及び被害情報を送信する（Ｓ１１１）。
【００５０】
このようにして、振動入力装置１の仮想地震発生処理が実行される。
【００５１】
図９は、本願記載の被災シミュレーションシステムにて用いられる仮想被害出力装置２の仮想被害出力処理の一例を示すフローチャートである。仮想被害出力装置２は、ＨＥＭＳ用のディスプレイとして機能する「常時モード」、構造ヘルスモニタリングシステム用のディスプレイとして機能する「非常時モード」等の複数の動作モードを有している。仮想被害出力装置２は、通常、ＨＥＭＳ用のディスプレイとして「常時モード」で機能しているが、振動入力装置１から送信される振動強度情報及び被害情報を受信した場合等の特定のイベントが発生した場合、割り込み処理として「非常時モード」に遷移する。
【００５２】
仮想被害出力装置２の制御部２０は、通信部２７にて振動強度情報及び被害情報を受信し（Ｓ２０１）、「非常時モード」に遷移して、仮想被害出力装置用プログラムを起動する。
【００５３】
図１０は、本願記載の被災シミュレーションシステムにて用いられる仮想被害出力装置２が備える表示部２２に表示される画像の一例を示す説明図である。図１０は、震度強度情報及び被害情報を受信した仮想被害出力装置２が、仮想被害出力装置用プログラムの起動を開始した場合に表示される画像を示しており、「建物の揺れを検知しました。ただいま、分析中です」という文言が表示部２２に表示される。
【００５４】
図９のフローチャートに戻り、ステップＳ２０２では、仮想被害出力装置用プログラムを起動した制御部２０は、受信した振動強度情報が示す振動強度が、予め記録部２５に記録されている第１強度基準以上であるか否かを判定する（Ｓ２０２）。ステップＳ２０２における第１強度基準とは、振動強度を分級するための基準であり、ここでは、第１強度基準として「震度７」が設定されている例について説明する。
【００５５】
ステップＳ２０２において、振動強度が第１強度基準（震度７）以上であると判定した場合（Ｓ２０２：ＹＥＳ）、制御部２０は、ステップＳ２０１にて受信した振動強度情報及び被害情報に基づいて、災害・被害情報を生成する（Ｓ２０３）。ステップＳ２０３にて生成する災害・被害情報とは、使用者に対して災害及び被害の状況を仮想被害出力装置２に出力させるための情報である。本来の構造ヘルスモニタリングシステムＭＳ（前述した図１）では、複数配置された測定装置ｍからそれぞれ収集した戸別被害情報及び計測情報等を管理事業体が把握し、管理事業体の操作者から、災害・被害情報等の情報がＨＥＭＳ用のディスプレイＤに送信される。しかし、本発明の被災シミュレーションシステムでは、管理事業体から送信される災害・被災情報を受信するのではなく、仮想被害出力装置２にて災害・被災情報を生成する。
【００５６】
災害の状況とは、例えば、地震の震度であり、ここでは、仮想地震の振動強度に基づく仮想震度を示す。被害の状況とは、使用者が入居している集合住宅の建物自体についての損傷の状況であり、構造ヘルスモニタリングシステムＭＳでは、配設されている測定装置ｍの測定結果に基づいて判定される（図１参照）。なお、ここでは、仮想建物ＶＢについて、仮想地震により想定される損傷の状況を示す。災害・被害情報は、振動強度情報による震度及び被害情報による建物被害の有無に応じて複数パターンのテンプレート（雛形）が準備され、記録部２５に記録されている。ステップＳ２０３において、制御部２０は、振動強度情報及び被害情報に基づいて、テンプレートを選択し、選択したテンプレートを記録部２５から読み取る。そして、制御部２０は、読み取ったテンプレートに、振動強度情報が示す震度及び被害情報が示す建物被害の有無を示す情報を埋め込むことにより、災害・被害情報を生成する。なお、ここでは、ステップＳ２０３において、「震度：強、建物被害：有」のパターンのテンプレートが選択されて、災害・被害情報が生成されるものとする。
【００５７】
制御部２０は、生成した災害・被害情報を表示部２２に表示（画像出力）する（Ｓ２０４）。ステップＳ２０４において、災害・被害情報は、表示部２２に表示、即ち、画像として出力するのではなく、音声出力部２４から音声として出力するようにしても良い。特に、緊急を要する場合、音声による出力が効果的であり、被災シミュレーションシステムにおいても、そのような出力を模することが好ましい。
【００５８】
図１１は、本願記載の被災シミュレーションシステムにて用いられる仮想被害出力装置２が備える表示部２２に表示される画像の一例を示す説明図である。図１１は、図１０に示す画像が表示された後に表示される画像であり、ステップＳ２０４における災害・被害情報が表示されている。表示される画像は、上部の領域、下方の左、右の領域と３つの領域に区分されており、それぞれの領域にそれぞれの情報が表示される。
【００５９】
上部の領域は、主として災害・被害情報に基づく概要を表示する領域である。すなわち、図１１に示す例では、上部の領域に地震を検知した日時、ここでは、振動入力装置１から振動強度情報及び被害情報を受信した日時が表示される。
【００６０】
下方の左の領域は、主として災害・被害情報に基づく具体的な状況を表示する領域である。図１１に示す例では、震度を示す「７」、建物被害の有無を示す「損傷（中）」、建物の各階における振動状況を示すグラフ等の情報が表示されている。震度を示す情報及び建物被害の有無を示す情報は、受信した振動強度情報が示す震度及び被害情報が示す建物被害の有無を示す情報をテンプレートに埋め込んだものである。また、グラフは、建物についての各階の東西方向の揺れ及び南北方向の揺れを、それぞれ棒グラフとして示したものであり、長い程、揺れが大きいことを示している。なお、被災シミュレーションシステムにおいては、このようなグラフを、テンプレートとして準備していても良く、振動強度情報及び被害情報に基づいて生成するようにしても良い。
【００６１】
下方の右の領域は、主として、電気、水道等のライフラインの使用可能状況を表示する領域である。なお、このような状況を、テンプレートとして準備していても良く、振動強度情報及び被害情報に基づいて選択された内容を表示するようにしても良い。
【００６２】
次に、図９に示すフローチャートに戻り、ステップＳ２０２において、振動強度が第１強度基準（震度７）未満であると判定した場合（Ｓ２０２：ＮＯ）、制御部２０は、ステップＳ２０１にて受信した振動強度情報が示す振動強度が、予め設定されている第２強度基準以上であるか否かを判定する（Ｓ２０５）。ステップＳ２０５における第２強度基準とは、振動強度を分級するための基準であり、第１強度基準より低い基準が設定されている。ここでは、第２強度基準として「震度５強」が設定されている例について説明する。
【００６３】
ステップＳ２０５において、振動強度が第２強度基準（震度５強）以上であると判定した場合（Ｓ２０５：ＹＥＳ）、制御部２０は、ステップＳ２０１にて受信した振動強度情報及び被害情報に基づいて、災害・被害情報を生成する（Ｓ２０６）。
【００６４】
ステップＳ２０６における災害・被害情報の生成は、ステップＳ２０３の場合と実質的に同様であるが、ステップＳ２０３で選択されたテンプレートとは異なる「震度：中、建物被害：無」のパターンのテンプレートが選択されて、災害・被害情報が生成される。
【００６５】
制御部２０は、生成した災害・被害情報を表示部２２に表示（画像出力）する。（Ｓ２０７）
【００６６】
図１２は、本願記載の被災シミュレーションシステムにて用いられる仮想被害出力装置２が備える表示部２２に表示される画像の一例を示す説明図である。図１２は、ステップＳ２０７にて表示される画像であり、表示される内容のレイアウト及び表示される項目は、ステップＳ２０３にて表示される画像と実質的に同様である。ただし、下方の左の領域については、震度は「５強」、建物は被害が無いことを示す「健全」という表示になっており、東西方向の揺れ及び南北方向の揺れについても、ステップＳ２０３の画像と比べて、揺れが小さいことを示す表示となっている。下方の右の領域についても適宜変更した内容を表示することが可能である。
【００６７】
図９に示すフローチャートに戻り、ステップＳ２０５において、振動強度が第２強度基準未満であると判定した場合（Ｓ２０５：ＮＯ）、制御部２０は、ステップＳ２０１にて受信した振動強度情報及び被害情報に基づいて、災害・被害情報を生成する（Ｓ２０８）。ステップＳ２０８における災害・被害情報の生成は、ステップＳ２０３及びＳ２０６とは異なる「震度：弱・建物被害：無」のパターンのテンプレートが選択されて、災害・被害情報が生成される。
【００６８】
そして、制御部２０は、生成した災害・被害情報を表示部２２に表示（画像出力）する（Ｓ２０９）。図１３は、ステップＳ２０９にて表示される画像を示しており、仮想建物の上方に震度強度情報による「５弱」との文言、被害情報による「健全」との文言、振動入力装置１から振動強度情報及び被害情報を受信した日時、並びに、建物についての各階の東西方向の揺れ及び南北方向の揺れを、それぞれ棒グラフとして示したものが表示部２２に表示される。
【００６９】
このようにして、仮想被害出力装置２の仮想被害出力処理が実行される。これにより、例えば、モデルハウス内に、大型のコンピュータ等の装置を導入することなく、使用者に対して、構造ヘルスモニタリングシステムを疑似体験させることができる。
【００７０】
本発明は、以上説明した実施形態に限定されるものではなく、他のいろいろな形態で実施することが可能である。そのため、かかる実施形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【００７１】
例えば、前記実施形態では、振動入力装置１の被接触面１２ａに対する接触状況を、振動の強度に換算する入力として受け付ける形態を示したが、本発明はこれに限るものではない。例えば、使用者が、振動入力装置１に対して発声し、振動入力装置１は、音声入力部１４が受音した音声の状況を、振動の強度に換算する入力として受け付けるようにしても良い。また、使用者が、振動入力装置１を把持して振る動作を行い、振動入力装置１は、加速度検出部１９にて検出した動作の状況を、振動の強度に換算する入力として受け付けるようにしても良い。さらには、直接、振動の強度を示す数値を入力する等、適宜設計することが可能である。
【００７２】
また、前記実施形態において示した震度及び被害の判定及び分級はあくまでも一例であり、更に細分化することも可能であり、また、その場合、仮想被害出力装置２にて出力するパターンを更に細分化することも可能である。
【００７３】
さらに、前記実施形態では、振動入力装置１において、振動の入力、振動強度及び被害の判定等の処理を行い、仮想被害出力装置２において、出力するテンプレートの選択等の処理を行う形態を示したが、本発明はこれに限るものでは無く、いずれの装置がいずれの処理を行うかは適宜設計することが可能である。例えば、振動入力装置１において、テンプレートの選択を行うようにしても良く、また、仮想被害出力装置２において、振動強度及び被害の判定を行うようにしても良い。
【００７４】
なお、上記実施形態は、ＨＥＭＳ用のディスプレイが設置された環境下で、被災シミュレーションシステムを実現する形態を示したが、当該ディスプレイが設置されていない環境であれば、一台の装置で被災シミュレーションシステムを実現することも可能である。具体的には、一台のタブレット型コンピュータを、振動入力装置１及び仮想被害出力装置２の双方の機能を備えた装置として用いることが可能である。
【００７５】
図１４は、本願記載の被災シミュレーションシステムにて用いられる仮想被害出力装置４の構成例を概略的に示すブロック図である。図１４に示す仮想被害出力装置４は、一台のタブレット型コンピュータを、前述の振動入力装置１及び仮想被害出力装置２の双方の機能を備えた装置として用いた形態である。
【００７６】
仮想被害出力装置４は、制御部４０、入力部４１、表示部（画像出力部）４２、操作部４３、音声入力部４４、音声出力部４５、記録部４６、記憶部４７、加速度検出部４９を備えている。
【００７７】
制御部４０は、前述した実施形態における振動入力装置１の制御部１０及び仮想被害出力装置２の制御部２０の双方の機能を備えている。入力部４１は、前述した実施形態における振動入力装置１の入力部１１及び仮想被害出力装置２の入力部２１の双方の機能を備えている。表示部（画像出力部）４２は、前述した実施形態における振動入力装置１の表示部１２及び仮想被害出力装置２の制御部（画像出力部）２２の双方の機能を備えている。操作部４３は、前述した実施形態における振動入力装置１の操作部１３及び仮想被害出力装置２の操作部２３の双方の機能を備えている。音声入力部４４は、前述した実施形態における振動入力装置１の音声入力部１４の機能を備えている。音声出力部４５は、前述した実施形態における振動入力装置１の音声出力部１５及び仮想被害出力装置２の制御部２５の双方の機能を備えている。記録部４６は、前述した実施形態における振動入力装置１の記録部１６及び仮想被害出力装置２の記録部２６の双方の機能を備えている。記憶部４７は、前述した実施形態における振動入力装置１の記憶部１７及び仮想被害出力装置２の記憶部２７の双方の機能を備えている。加速度検出部４８は、前述した実施形態における振動入力装置１の加速度検出部１９の機能を備えている。
【００７８】
このように構成された他の実施形態における仮想被害出力装置４の処理について説明する。図１５は、本願記載の被災シミュレーションシステムにて用いられる仮想被害出力装置４の仮想地震発生及び仮想被害出力処理の一例を示すフローチャートである。
【００７９】
使用者は、仮想被害出力装置４を操作し、操作を受け付けた仮想被害出力装置４の制御部４０は、表示部４２に仮想建物の画像を表示する（Ｓ３０１）。制御部４０は、使用者からの入力を受け付け、振動強度及び被害を判定し、振動強度情報及び被害情報を表示部４２に表示する（Ｓ３０２）。ステップＳ３０１〜Ｓ３０２の具体的な処理は、図４を用いて説明した仮想地震発生処理におけるステップＳ１０２〜Ｓ１０９と実質的に同様であるので、ここでは詳細な説明を省略する。
【００８０】
そして、制御部４０は、振動強度と強度基準との比較（Ｓ３０３）を行い、災害・被害情報表示（画像出力）する（Ｓ３０４）。ステップＳ３０３〜Ｓ３０４の具体的な処理は、図９を用いて説明した仮想被害出力処理（Ｓ２０２〜Ｓ２０９）と同様であるので、ここでは詳細な説明を省略する。
【００８１】
このようにして、仮想被害出力装置４は、仮想地震発生及び仮想被害出力処理を実行する。これにより、ＨＥＭＳ用のディスプレイが設置されていない環境下であっても、構造ヘルスモニタリングシステムを疑似体験することが可能となる。
【符号の説明】
【００８２】
１  振動入力装置
１０  制御部
１１  入力部
１２  表示部
１２ａ  被接触面
２  仮想被害出力装置
２０  制御部
２１  入力部
２２  表示部（画像出力部）
４  仮想被害出力装置
４０  制御部
４１  入力部
４２  表示部（画像出力部）
【図１】
2016122339.tif 000003
【図２】
2016122339.tif 000004
【図３】
2016122339.tif 000005
【図４】
2016122339.tif 000006
【図５】
2016122339.tif 000007
【図６】
2016122339.tif 000008
【図７】
2016122339.tif 000009
【図８】
2016122339.tif 000010
【図９】
2016122339.tif 000011
【図１０】
2016122339.tif 000012
【図１１】
2016122339.tif 000013
【図１２】
2016122339.tif 000014
【図１３】
2016122339.tif 000015
【図１４】
2016122339.tif 000016
【図１５】
2016122339.tif 000017